(57)【要約】【課題】【解決手段】本発明のバッグインボックス包装体は、頂部ユニットと、本体ユニットと、底部ユニットとを有する３ユニットの構造体である。ボックス１０は、ボックスを取り扱うことを容易にする１対の取っ手１８と、ボックスを開放する剥ぎ取り片構造体とを有している。１つの好ましい形態において、剥ぎ取り片４４は、取っ手開口の１つに隣接する把持部４４を有している。剥ぎ取り片は、一連の小穴の有孔部又はギザギザ歯状部、また、頂部パネルに付与された別個のフィルム、筋又は糸状体のような任意の既知の構造とすることができる。このことは、剥ぎ取り片を把持することを容易にし且つ、ボックスを開放することを容易にする。構造体の袋部分は、保持した製品の新鮮さを保存する一方、ボックスは、構造的完全さ及びボックスを容易に取り扱う手段を提供する。
2005506935.tif 000002
【特許請求の範囲】
【請求項１】
本体ユニットと、頂部ユニットと、底部ユニットという３つのユニットから成るカートンにおいて、本体ユニットが、前側パネル及び後側パネルを備え、前側パネル及び後側パネルが側部パネルにより接続され、前記前側パネル、後側パネル及び側部パネルの各々が、その底部及び頂部の水平方向縁部に少なくとも１つのフラップを有し、底部ユニットが、前側パネル、後側パネル及び側部パネルの底縁部にてフラップによって本体ユニットに少なくとも部分的に取り付けられ、前記頂部ユニットが、前側パネル及び後側パネルの頂縁部にてフラップにより本体ユニットに少なくとも部分的に取り付けられ、前記頂部ユニットが、１つの側部パネルにほぼ隣接する位置から別の側部パネルにほぼ隣接する位置まで伸びる剥ぎ取り片を有するようにした、カートン。
【請求項２】
頂部パネルに隣接する少なくとも１つの側部パネルに取っ手開口を有する、請求項１に記載のカートン。
【請求項３】
頂部パネルに隣接して側部パネルの各々に取っ手開口が存在する、請求項２に記載のカートン。
【請求項４】
剥ぎ取り片が、その一端に把持手段を有する、請求項１に記載のカートン。
【請求項５】
前記剥ぎ取り片が、頂部ユニットの全体に亙って伸びる、請求項４に記載のカートン。
【請求項６】
前記剥ぎ取り片が、側部パネルに沿って下方に取っ手開口に隣接する位置まで伸びる、請求項２に記載のカートン。
【請求項７】
剥ぎ取り片が、前記取っ手開口に隣接するその一端に把持手段を有する、請求項６に記載のカートン。
【請求項８】
前記頂部ユニット及び前記底部ユニットが、該頂部ユニット及び該底部ユニットを前記側部パネルの内面に取り付けるパネルを有する、請求項１に記載のカートン。
【請求項９】
本体ユニットと、頂部ユニットと、底部ユニットという３つのユニットから成るカートンにおいて、本体ユニットが、前側パネル及び後側パネルを備え、前側パネル及び後側パネルが側部パネルにより接続され、前記前側パネル、後側パネル及び側部パネルの各々が、その底部及び頂部の水平方向縁部に少なくとも１つのフラップを有し、底部ユニットが、前側パネル、後側パネル及び側部パネルの底縁部にてフラップによって本体ユニットに少なくとも部分的に取り付けられ、前記頂部ユニットが、前側パネル、後側パネル及び側部パネルの頂縁部にてフラップにより本体ユニットに少なくとも部分的に取り付けられ、前記側部パネルの少なくとも１つが、前記頂部パネルに隣接する取っ手開口を有するようにした、カートン。
【請求項１０】
側部パネルの各々に取っ手開口が存在する、請求項９に記載のカートン。
【請求項１１】
前記頂部ユニットが、１つの側部パネルにほぼ隣接する位置から別の側部パネルにほぼ隣接する位置まで伸びる剥ぎ取り片を有する、請求項９に記載のカートン。
【請求項１２】
剥ぎ取り片が、前記頂部ユニットの全体に亙って伸びる、請求項１１に記載のカートン。
【請求項１３】
前記剥ぎ取り片が、少なくとも一端に把持手段を有する、請求項１１に記載のカートン。
【請求項１４】
前記剥ぎ取り片が、少なくとも１つの側部パネルに沿って下方に取っ手開口に隣接する位置まで伸びる、請求項１２に記載のカートン。
【請求項１５】
前記剥ぎ取り片が、取っ手開口に隣接する把持手段を有する、請求項１４に記載のカートン。
【発明の詳細な説明】
【技術分野】
【０００１】
本発明は、開放容易な取っ手付きカートンに関する。より具体的には、本発明は、カートンの天面の全体を開放することを可能にする剥ぎ取り片を有する取っ手付きカートンに関する。
【背景技術】
【０００２】
ペットフードのような多くの製品は、大型の袋に入れて販売される。これらの袋の寸法は、９．０７ｋｇ（２０ポンド）から１８．１４ｋｇ（４０ポンド）、更により大型の袋にわたる。これらの袋は、取り扱い難く、また、更に、ペットフード又は同様の製品が硬化したとき均一でない場合、これら製品を十分に保護することができない。このような場合には、異なる型式の袋が必要とされる。効果的な１つの型式の包装体は、ボックス包装体内の１つの袋である。この袋は、ボックスが保持したペットフード製品の物理的完全さを保護する一方にて、製品の新鮮さを保つ構造のものである。更に、この型式の包装体は、倉庫又は小売店にてより効率良く積み重ねることを可能にする。また、現在のバッグインボックスの設計のものは、取り扱い及び開放することが容易である。
【０００３】
また、現在のバッグインボックス設計のものは、ユーザに対し更なる有利な効果を提供する。ボックスは、端部を下にして立てることができ、また、製品を使用し且つ貯蔵するための整然とした包装体を提供する。ボックス又はカートンは、取っ手により容易に操作することができる。該ボックス又はカートンは、剥ぎ取り片を使用して容易に開放できる。このことは、一端における２つの大きいフラップを開放することを許容する。開放したとき、袋を取り出し且つ、開放することができる。袋は、製品を取り出すため開放し且つ、捻りタイ、又は、ジッパーを有するならば、ジッパーを閉じることにより再度閉じることができる。ボックスは、使用する間、袋を真立の状態に保持する。このことは、使用する間、何らかの方法で支持し且つ、使用後、折り畳まなければならない袋の場合と対照的である。かかる袋は、折り畳んだとき、より広い棚又は床スペースを占める。
【０００４】
このバッグインボックスは、袋を遥かにより薄い積層フィルムにて製造することが可能であるという更なる有利な効果を有する。これらの袋は、異なる性質を提供する異なる層を有する多層フィルムを備えている。これらは、調味料及び栄養物に対する水分障壁、有機物障壁、酸素障壁及び強度並びに穴開き抵抗性の層を含む。包装体の全体に対して強度及び一体性を提供するボックスによって、袋の重量は軽くなり、また、袋のコストを削減することができる。例えば、強度及び穴あき抵抗性の層を最小にすることができる。
【発明の概要】
【０００５】
本発明は、取り扱い及び開放が容易なバッグインボックス包装体に関するものである。更に、この包装構造体は、小売店にて製品を容易に積み重ね且つ、製品を保護することを可能にする。包装体のボックス部分は、少なくとも２つの取っ手と、開放容易な剥ぎ取り片とを有している。
【０００６】
本発明の包装体は、金属フォイル及び（又は）プラスチックから成る単一層又は多層の積層体とすることのできる袋から成っている。袋の構造は、通常、ペットフード製品である、包装すべき製品の必要条件に依存する。ボックスは、３つの片から成る構造体である。頂部片及び底部片と、側壁及び関係した頂部及び底部フラップを備える本体片とがある。頂部フラップは、頂部片に取り付けられ、また、底部フラップは底部片に取り付けられる。頂部片は、剥ぎ取り片のような開放容易な装置を備えることになろう。剥ぎ取り片は、ボックスの頂部を横断して長手方向に伸び且つ、選択的に、側壁の一部に沿って下方に伸びて取っ手開口部の領域に達する。
【０００７】
本体片は、前壁、後壁、及び２つの側壁から成っている。側壁は、各々、各側壁の上側部分に取っ手開口を有する。これらの開口は、約４本の指が開口を貫通して伸びるのを許容する寸法とされている。１つの好ましい実施の形態において、ボックスの頂部を開放するための剥ぎ取り片の把持端は、開口の１つの頂部における一部分を形成する。このようにして、該把持片は、ボックスの頂部を開放するため容易に把持し且つ、引張ることができる。剥ぎ取り片は、側壁に沿って上方にボックスの頂部まで伸び、次に、頂部を横断して伸びる。剥ぎ取り片が除去されたとき、主頂部パネルは、両側部における弱体化した有孔領域を破ることにより開放することができる。次に、袋を開放する。袋は、ボックスから除去することができるが、この状態で袋内の製品を貯蔵することが容易であるから、袋はボックス内に保持されよう。
【０００８】
ボックスは、板紙又は段ボールで製造することができる。ボックスは、段ボールボックスであることが好ましい。かかるボックスは、軽い重量で高強度を提供する。
【０００９】
次に、図面を参照しつつ、本発明について説明する。図面には、本発明の着想の範囲に含まれる可能な各種の変更例と共に、本発明の１つの好ましい実施の形態が示されている。
【００１０】
図１は、完全に組み立て且つ、充填した状態にあるボックスの斜視図である。これはボックスが小売店で見られるときの状態である。ボックス１０は、本体ユニットと、頂部ユニットと、底部ユニットとから成っている。本体ユニットは、前壁１２と、側壁パネル部分１４（ａ）及び１４（ｂ）から成る側壁１４とを有している。側壁開口１８は、この側壁１４の上側部分にある。この側壁１４はボックスブランクの分割端部パネルであるから、２つの部分パネル１４（ａ）、１４（ｂ）を有する。頂部壁１６は、剥ぎ取り片４４及び剥ぎ取り片把持部４２を有する頂部パネルユニット４０と、大形の本体フラップ２８、３０と、小形の本体フラップ２０、２２、２４（ａ）、２６（ａ）とから成っている。フラップ３０（ａ）、３０（ｂ）は、前壁１２から伸び、フラップ２０、２１、２２は、側壁１５から伸び（図３参照）、フラップ２４（ａ）、２４（ｂ）は、側壁パネル１４（ａ）から、フラップ２６（ａ）、２６（ｂ）は側壁１４（ｂ）から、及びフラップ２８（ａ）、２８（ｂ）は後側パネル１３からそれぞれ伸びている。剥ぎ取り片４４を有する頂部パネルユニット４０は、接着剤又は同等物によりフラップ３０（ａ）、２８（ａ）、２４（ａ）２６（ａ）、２２、２０に及び頂部部分にて側壁の各々に取り付けられる。ボックス内の頂部パネルユニット４０の構造体は、図１に破線で示してある。この頂部パネルには、剥ぎ取り片を除去した後、ボックスの端部を開放することを容易にする弱体化領域４３、４５が示されている。これらは、小穴の有孔部とし、又はギザギザ歯状の弱体化領域とすることができる。
【００１１】
図２には、頂部パネルユニット４０用のブランクが示されている。一体の剥ぎ取り片４４及び剥ぎ取り片把持部４２が示してある。剥ぎ取り片の各側部には、長手方向パネル４６、４８が示してある。頂部片の一端には、パネル５４、５６があり、また、頂部片の他端には、パネル５０、５２がある。弱体化領域４３、４５は、剥ぎ取り片を除去したとき、破って、ボックスが完全に組み立てられたとき、フラップ４６、４８を開放することができる。折り畳み線５７、５８は、側壁パネル１４（ａ）、１４（ｂ）、１５に接着剤で取り付けるため下方に伸びるパネルの境を設定する。剥ぎ取り片４４を頂部パネルユニット４０から分離させることができる。剥ぎ取りを助けるため別個の片１６を頂部ユニットに取り付けるならば、その片は、頂部ユニットブランク（４０）の内面（ボックスの内側）に取り付ける。当該技術分野にて既知の全ての剥ぎ取り構造体を使用することができる。これは、頂部パネルユニットに形成された小穴の有孔部、ギザギザ歯状部、又はフィルム、筋又は糸状体とすることができる。
【００１２】
底部パネルユニットは、通常、剥ぎ取り片及び剥ぎ取り把持部を有しない点を除いて、頂部パネルと同一のものであろう。底部パネルユニットは、頂部パネルユニットがボックス本体の上側部分に取り付けられる仕方と同一の仕方にてボックス本体の下側部分に取り付けられる。
【００１３】
図３には、前側パネル１２、後側パネル１３、側壁パネル１５、１４（ａ）、１４（ｂ）から成る本体ブランクが示されている。側壁パネル１４（ａ）、１４（ｂ）は、全側壁１４を形成する。開口１８が各側壁パネルの上側部分に示してある。前側パネル１２には、頂部フラップ３０（ａ）及び底部フラップ３０（ｂ）が関係し且つ、後側パネル１３には、頂部フラップ２８（ａ）及び底部フラップ２８（ｂ）が関係している。側部パネル１５は、頂部フラップ２０及び底部フラップ２１を有している。側壁１４（ａ）には、頂部フラップ２４（ａ）及び底部フラップ２４（ｂ）が関係する一方、側壁１４（ｂ）には、頂部フラップ２６（ａ）及び底部フラップ２６（ｂ）が関係している。頂部フラップは、ボックス本体の頂部を頂部パネルに取り付ける糊又は接着剤フラップである一方、底部フラップは、ボックス本体の底部を底部パネルユニットに取り付ける糊又は接着剤フラップである。このボックス本体は、パネル及びフラップの縁部にて折り畳まれてボックス本体を形成する。破線は折り畳み線を示す。
【００１４】
図４には、図１のボックスが開放されるときの部分図で示されている。剥ぎ取り片の把持部４２を引張って把持部をカートンから除去する。この剥ぎ取り片は、図５に示すように、ボックスの頂部を横断して長手方向に引張る。剥ぎ取り片４４が完全に除去されたとき、弱体化領域４３、４５を破ることによりボックスの頂部を開放することができる。これらの弱体化領域が破られたとき、フラップ２６（ａ）、２８（ａ）は上方に開放する。次に、袋９０を開放し且つ、製品を取り出すことができる。
【００１５】
図７には、頂部パネルユニット７０に対する１つの代替的な構造体が示されている。この頂部パネルユニットは、剥ぎ取り片の把持部７８がパネル８３に隣接するパネル８１の縁部ではなくてパネル８１の縁部にある点にて、図２のもの（パネルユニット４０）と相違する。このようにして、把持部７８はボックスの取っ手開口部１８の縁部に配置される。その他の点にて、図２及び図７の頂部パネルユニットは同一である。これらは、長手方向パネル７２、７４、弱体化領域８０（ａ）、８０（ｂ）及び折り畳み線８２（ａ）、８２（ｂ）である。これらの折り畳み線は、パネル８６、８７及びパネル８１、８３をそれぞれ折り畳むことを許容する。パネル８１、８７は、頂部パネルユニットをボックス本体に固着する接着剤糊付けパネルとなる。
【００１６】
図８には、図７の頂部パネルユニット７０を有する図１のボックスが図示されている。この実施の形態にて、また、フラップ２４（ａ）、２６（ａ）と取っ手開口１８の上方の側壁パネル１４（ａ）、１４（ｂ）の部分との間に広い間隔が提供される。これは、剥ぎ取り片７６を除去するため、剥ぎ取り片の把持部７８を把持することを容易にするためである。次に、図４から図６にボックスについて示したのと同一の仕方にてこのボックスの頂部を開放する。
【００１７】
ボックスは、板紙又は段ボールで製造することができる。段ボールを使用することは、その強度特性の点にて好ましい。
使用時、ボックスは、本体片を両端片の周りに巻くことにより形成される。次に、充填した袋をパネル１４（ａ）、１４（ｂ）を通じて挿入し、その後、パネルを接着剤で閉じる。底部片及び頂部片をボックス本体に取り付けることは、底部ユニット及び頂部ユニットに接着された本体フラップを通じて且つ、ボックス本体の側壁に接着剤で取り付けられた頂部及び底部ユニット端部パネルを通じて行われる。
【００１８】
製品を購入するとき、ボックスを取り扱い且つ運ぶために取っ手１８を使用できる。ボックスは、輸送、貯蔵及び小売する間、製品に対し高度の完全さを提供する。
ボックスは、販売店の支払いカウンタに運び、次に、家に運ぶため車まで運ぶことが容易である。車にて、ボックスは、利用可能なスペースに依存して直立に又は横にした状態に保つことができる。家にて、ボックスは、コーナ又はクローゼット内で真立に保管することができる。使用する間、ボックスは、これと同一の姿勢に保たれよう。頂部パネルユニット（４０、７０）の剥ぎ取り片（４４、７６）の端部を把持し且つ、該端部を頂部を横断するように引張って、この頂部パネルを切断することにより、ボックスは開放される。次に、頂部ボックスフラップを引張って開放し、保持された袋を開放する。この袋は捻りタイ又はジッパー閉塞体により閉じることができる。所望の量の中身を除去し、袋を再度閉じる。ボックスフラップを閉じることもできる。その中身を有するこのボックスは、その中身の全てが取り出される迄、整然と保管されよう。
【図面の簡単な説明】
【００１９】
【図１】完全に組み立てられ且つ、その基部を下にして立つカートンの斜視図である。
【図２】カートンの頂部を備えるブランクの図である。
【図３】カートンの本体側パネルを備えるブランクの図である。
【図４】頂部剥ぎ取り片が除去された、図１のカートンの部分図である。
【図５】剥ぎ取り片が殆ど除去された状態を示す、図１のカートンの部分図である。
【図６】殆ど開放した図１のカートンの部分図である。
【図７】カートンの頂部を備える１つの代替的なブランクの図である。
【図８】図７の代替的な頂部ブランクを有するカートンの部分図である。
【国際公開パンフレット】
2005506935.tif 000003
2005506935.tif 000004
2005506935.tif 000005
2005506935.tif 000006
2005506935.tif 000007
2005506935.tif 000008
2005506935.tif 000009
2005506935.tif 000010
2005506935.tif 000011
2005506935.tif 000012
2005506935.tif 000013
2005506935.tif 000014
2005506935.tif 000015
2005506935.tif 000016
2005506935.tif 000017
2005506935.tif 000018
2005506935.tif 000019
2005506935.tif 000020
2005506935.tif 000021
【国際調査報告】
2005506935.tif 000022
2005506935.tif 000023
2005506935.tif 000024